(57)【要約】【課題】  利得低下を抑え、かつ搬送、組み立てが容易なアンテナ装置の設置方法及びアンテナ装置を提供することを目的とする。【解決手段】  第１サブ柱状導体（第１支持体）と、第１サブ柱状導体（第１支持体）に並んで配列された第２サブ柱状導体（第２支持体）と、第１サブ柱状導体（第１支持体）と第２サブ柱状導体（第２支持体）との間に配列されたメイン柱状導体（第１メイン柱状導体）と、Ｕ字状に屈曲し、一端を第１サブ柱状導体（第１支持体）の先端部分に対向させ、他端を第２サブ柱状導体（第２支持体）の先端部分に対向させ、中央部分をメイン柱状導体（第２メイン柱状導体）の先端部分に固定されたＵ字状導体とを備えたアンテナ装置及びこのアンテナ装置の設置方法。【選択図】  図１
2014176084.tif 000002
【特許請求の範囲】
【請求項１】
第１サブ柱状導体及び第２サブ柱状導体並びに第１メイン柱状導体を設置面の上にそれぞれ立てて、前記第１サブ柱状導体と前記第２サブ柱状導体との間に前記第１メイン柱状導体を配置する下部側柱状導体設置工程と、前記第１サブ柱状導体及び前記第２サブ柱状導体を前記第１メイン柱状導体に電気的に接続する下部側柱状導体電気接続工程と、前記第１メイン柱状導体の先端部分に載置された中央上部誘電体スペーサの前記第１メイン柱状導体の先端部分に載置された面と反対の面に、給電部を挟んで第２メイン柱状導体の基端部分を固定して前記第２メイン柱状導体を立てる上部側柱状導体設置工程と、前記第１サブ柱状導体の先端部分に第１上部誘電体スペーサを載置し、前記第２サブ柱状導体の先端部分に第２上部誘電体スペーサを載置する上部誘電体スペーサ載置工程と、前記第１上部誘電体スペーサの前記第１サブ柱状導体の先端部分に載置された面と反対の面に、Ｕ字状に屈曲したＵ字状導体の一端を固定し、前記第２上部誘電体スペーサの前記第２サブ柱状導体の先端部分に載置された面と反対の面に、前記Ｕ字状導体の他端を固定し、前記Ｕ字状導体の中央部分を前記第２メイン柱状導体の先端部分に固定するＵ字状導体固定工程とを備えたアンテナ装置の設置方法。
【請求項２】
第１サブ柱状導体と、この第１サブ柱状導体に並んで配列された第２サブ柱状導体と、前記第１サブ柱状導体と前記第２サブ柱状導体との間に配列され、前記第１サブ柱状導体及び前記第２サブ柱状導体それぞれの下部と下部が電気的に接続された第１メイン柱状導体と、中央上部誘電体スペーサを介して前記第１メイン柱状導体と対向して直列的に配置された第２メイン柱状導体と、前記第１メイン柱状導体及び前記第２メイン柱状導体に電気的に接続された給電部と、Ｕ字状に屈曲し、一端を前記第１サブ柱状導体の先端部分に対向させ、他端を前記第２サブ柱状導体の先端部分に対向させ、中央部分を前記第２メイン柱状導体の先端部分に固定されたＵ字状導体とを備えたアンテナ装置。
【発明の詳細な説明】
【技術分野】
【０００１】
この発明は、設置作業が比較的容易なアンテナ装置の設置方法及びアンテナ装置に関するものである。
【背景技術】
【０００２】
従来、アンテナ装置には、ダイポールアンテナを用いたものがある（例えば、特許文献１参照）。特許文献１に記載のアンテナ装置のような自立型のもの以外にも、支線によりアンテナ素子を固定するものもある（例えば、特許文献２参照）。特許文献１に記載のアンテナ装置は、モノポールアンテナを用いたものである。
【０００３】
一般的に、高利得のダイポールアンテナを構成するためには利用する電波のおよそ半波長のアンテナ長が、モノポールアンテナを構成するためにはおよそ４分の１波長のアンテナ長がそれぞれ必要となる。利用する電波の周波数が比較的低い場合にはアンテナ長が数メートル級になるため、アンテナ装置の組み立て（設置）の作業や部材の搬入が煩雑となる。また、非常に長いアンテナ素子に対して、耐風性及び耐震性を確保することを考えると、特許文献２に示すように、多数の支線などの支持部材を用いて基礎に固定する必要がある。
【０００４】
アンテナ装置の設置に必要な面積の拡大や、部材費及び設備維持費用の増加を避けるためには、利得が高く、かつ小型で多くの支持部材を必要としないアンテナが求められる。利得低下を抑え、かつ線状アンテナを小型化する手法として、その励振器部分を折り曲げる手法が一般的に知られている（例えば、特許文献３及び特許文献４参照）。この手法によれば、利得の維持に必要な励振器部の電気長の確保と小型化を同時に実現することができる。
【先行技術文献】
【特許文献】
【０００５】
【特許文献１】特開２００７−１５８７６２号公報（全図）
【特許文献２】特開２００３−１８８６３２号公報（第１図及び第１３図）
【特許文献３】特開平３−３５０３号公報（第１図）
【特許文献４】特開平６−９０１０８号公報（第１図）
【発明の概要】
【発明が解決しようとする課題】
【０００６】
しかし、比較的低い周波数帯を利用する大型の線状のアンテナ装置では、線状アンテナの励振器部分を折り曲げることにより、アンテナを小型化することができるが、利得低下を抑制するためには、励振器の全長を確保する必要がある。そのため、例えば縦方向の寸法を縮小するならば、横方向の寸法は拡大せざるを得ないので、励振器部分の折り曲げだけでは、その規模及び質量が大きく減少することはなく、屋外に設置する場合には風などへの対策が必要となるという課題があった。
【０００７】
これに対し、アンテナ本体の構造の薄肉化や多段化構造による対策を講じた場合、さらなる軽量化又は多数の支持部材を設けることができない場合、風によって生じる振動に対する強度及び剛性の確保が困難という課題もあった。
【０００８】
この発明は、上記のような課題を解消するためになされたもので、利得低下を抑え、かつ搬送、組み立てが容易なアンテナ装置の設置方法及びアンテナ装置を提供することを目的とする。
【課題を解決するための手段】
【０００９】
請求項１の発明に係るアンテナ装置の設置方法は、第１サブ柱状導体及び第２サブ柱状導体並びに第１メイン柱状導体を設置面の上にそれぞれ立てて、前記第１サブ柱状導体と前記第２サブ柱状導体との間に前記第１メイン柱状導体を配置する下部側柱状導体設置工程と、前記第１サブ柱状導体及び前記第２サブ柱状導体を前記第１メイン柱状導体に電気的に接続する下部側柱状導体電気接続工程と、前記第１メイン柱状導体の先端部分に載置された中央上部誘電体スペーサの前記第１メイン柱状導体の先端部分に載置された面と反対の面に、給電部を挟んで第２メイン柱状導体の基端部分を固定して前記第２メイン柱状導体を立てる上部側柱状導体設置工程と、前記第１サブ柱状導体の先端部分に第１上部誘電体スペーサを載置し、前記第２サブ柱状導体の先端部分に第２上部誘電体スペーサを載置する上部誘電体スペーサ載置工程と、前記第１上部誘電体スペーサの前記第１サブ柱状導体の先端部分に載置された面と反対の面に、Ｕ字状に屈曲したＵ字状導体の一端を固定し、前記第２上部誘電体スペーサの前記第２サブ柱状導体の先端部分に載置された面と反対の面に、前記Ｕ字状導体の他端を固定し、前記Ｕ字状導体の中央部分を前記第２メイン柱状導体の先端部分に固定するＵ字状導体固定工程とを備えたことを特徴とするものである。
【００１０】
請求項２の発明に係るアンテナ装置は、第１サブ柱状導体と、この第１サブ柱状導体に並んで配列された第２サブ柱状導体と、前記第１サブ柱状導体と前記第２サブ柱状導体との間に配列され、前記第１サブ柱状導体及び前記第２サブ柱状導体それぞれの下部と下部が電気的に接続された第１メイン柱状導体と、中央上部誘電体スペーサを介して前記第１メイン柱状導体と対向して直列的に配置された第２メイン柱状導体と、前記第１メイン柱状導体及び前記第２メイン柱状導体に電気的に接続された給電部と、Ｕ字状に屈曲し、一端を前記第１サブ柱状導体の先端部分に対向させ、他端を前記第２サブ柱状導体の先端部分に対向させ、中央部分を前記第２メイン柱状導体の先端部分に固定されたＵ字状導体とを備えたことを特徴とするものである。
【発明の効果】
【００１１】
以上のように、この発明は、第１サブ柱状導体（第１支持体）と、第１サブ柱状導体（第１支持体）に並んで配列された第２サブ柱状導体（第２支持体）と、第１サブ柱状導体（第１支持体）と第２サブ柱状導体（第２支持体）との間に配列されたメイン柱状導体（第１メイン柱状導体）と、Ｕ字状に屈曲し、一端を第１サブ柱状導体（第１支持体）の先端部分に対向させ、他端を第２サブ柱状導体（第２支持体）の先端部分に対向させ、中央部分をメイン柱状導体（第２メイン柱状導体）の先端部分に固定されたＵ字状導体とを備えたアンテナ装置及びこのアンテナ装置の設置方法であるので、以下の効果を奏する。
【００１２】
請求項１に係る発明によれば、スペーサを含む支持体やダイポールアンテナのアンテナ素子を積み上げていくことができる簡便なアンテナ装置の設置方法を得ることができる。
【００１３】
請求項２に係る発明によれば、スペーサを含む支持体やダイポールアンテナのアンテナ素子を積み上げたアンテナ装置を得ることができる。
【図面の簡単な説明】
【００１４】
【図１】この発明の実施の形態１に係るアンテナ装置の正面図である。
【図２】この発明の実施の形態１に係るアンテナ装置の背面図である。
【図３】この発明の実施の形態１に係るアンテナ装置の平面図である。
【図４】この発明の実施の形態１に係るアンテナ装置の底面図である。
【図５】この発明の実施の形態１に係るアンテナ装置の左側面図である。
【図６】この発明の実施の形態１に係るアンテナ装置の右側面図である。
【図７】この発明の実施の形態１に係るアンテナ装置の模式図である。
【図８】この発明の実施の形態１に係るアンテナ装置の設置方法の組み立て手順の説明図である。
【図９】この発明の実施の形態１に係るアンテナ装置の設置方法の組み立て手順の説明図である。
【図１０】この発明の実施の形態１に係るアンテナ装置の設置方法の組み立て手順の説明図である。
【図１１】この発明の実施の形態１に係るアンテナ装置の設置方法の組み立て手順の説明図である。
【図１２】この発明の実施の形態１に係るアンテナ装置の設置方法の組み立て手順の説明図である。
【図１３】この発明の実施の形態１に係るアンテナ装置の設置方法の組み立て手順図である。
【図１４】この発明の実施の形態２に係るアンテナ装置の正面図である。
【図１５】この発明の実施の形態２に係るアンテナ装置の正面図（補強付き）である。
【図１６】この発明の実施の形態２に係るアンテナ装置の模式図である。
【図１７】この発明の実施の形態３に係るアンテナ装置の模式図である。
【図１８】この発明の実施の形態３に係るアンテナ装置の左側面図である。
【図１９】この発明の実施の形態３に係るアンテナ装置の右側面図である。
【図２０】この発明の実施の形態３に係るアンテナ装置の設置方法の組み立て手順の説明図である。
【発明を実施するための形態】
【００１５】
実施の形態１．
以下、この発明の実施の形態１について図１〜図１３を用いて説明する。図７（ａ）はアンテナ装置の電流経路を示す模式図、図７（ｂ）は図７（ｂ）に示す模式図と実施の形態１に係るアンテア装置の符号との対応関係を示す図である。図７は図１に示すアンテナ装置を模式的に示すものであるといえる。図１２（ｂ）に示すアンテナ装置の正面図、図１２（ａ）は、図１２（ｂ）に示すアンテナ装置の正面図における点線部分の拡大断面図（図２に示す平面図を見る方向で柱状導体及びＵ字状導体を二分割したもの、換言すると、柱状導体及びＵ字状導体が延伸する方向に柱状導体及びＵ字状導体を二分割したもの）である。なお、実施の形態１に係るアンテナ装置の設置面は、地面や建物の屋上などが想定される。実施の形態に記載する本発明の構成はその一例であり、実施の形態に示すもののみに本発明が拘束されるものではない。
【００１６】
図１〜図１３において、第１メイン柱状導体１は、第１サブ柱状導体２に並んで配列された第２サブ柱状導体３と第１サブ柱状導体２との間（中間）に配列されている。つまり、第１サブ柱状導体２と第２サブ柱状導体３との中間に第１メイン柱状導体１が配置されている。また、第１メイン柱状導体１は、第１サブ柱状導体２及び第２サブ柱状導体３と電気的に接続されている。第２メイン柱状導体４は、中央上部誘電体スペーサ５を介して第１メイン柱状導体１と対向して直列的（直線的）に配置されている。なお、中央上部誘電体スペーサ５は、第１メイン柱状導体１の先端部分に載置されている。給電部（給電点）６は、第１メイン柱状導体１及び第２メイン柱状導体に電気的に接続されている。Ｕ字状導体７は、Ｕ字状に屈曲し、一端を第１サブ柱状導体２の先端部分に対向させ、他端を第２サブ柱状導体３の先端部分に対向させ、中央部分７ｃを第２メイン柱状導体４の先端部分に固定されている。詳しくは、第２メイン柱状導体４が中央部分７ｃの中心近傍を固定しているので、この中心近傍を通る線に対して、Ｕ字状導体７は線対称の構造となっている。図中、同一符号は、同一又は相当部分を示しそれらについての詳細な説明は省略する。
【００１７】
図１〜図１３において、第２メイン柱状導体４は、先端部分に形成された第１板状導体（上部フランジ）４ａと第１板状導体４ａ上に配置される第２板状導体４ｂ（取付用金具）とを有し、第１板状導体４ａと第２板状導体４ｂとの間に、Ｕ字状導体７の中央部分７ｃを挟み込んで固定するものである。第２板状導体４ｂは、第２メイン柱状導体４とは別の部材であるので、Ｕ字状導体７の固定後に、第２板状導体４ｂが第２メイン柱状導体４の一部になる。また、第１板状導体４ａ又は第２板状導体４ｂの少なくとも一方は、Ｕ字状導体７が入る溝部を有するものとしてよい。本願では、第２板状導体４ｂにＵ字状導体７が入る溝部が形成されたものを図示している。もちろん、第２板状導体４ｂを廃して、第１板状導体４ａ（上部フランジ４ａ）のみ構造としてもよい。この場合は、第１板状導体４ａ（上部フランジ４ａ）にＵ字状導体７が入る溝部を形成すれば、Ｕ字状導体７が保持しやすい。なお、Ｕ字状導体７は、一端から第１屈曲部分７ａまで直線的に延びた第１直線部分と、他端から第２屈曲部分７ｂまで直線的に延びた第２直線部分と、第１屈曲部分７ａから第２屈曲部分７ｂまで直線的に延びた中央部分７ｃとからなるものである。本願では、第１屈曲部分７ａ及び第２屈曲部分７ｂは角度が９０°で屈曲したものも含むとする。つまり、Ｕ字状導体７はコ字状導体７（П（ペー）字状導体７）ともいえる。図中、同一符号は、同一又は相当部分を示しそれらについての詳細な説明は省略する。
【００１８】
図１〜図１３において、中央下部誘電体スペーサ８は設置面に載置されている。第１下部誘電体スペーサ９及び第２下部誘電体スペーサ１０は、それぞれ、設置面に載置され、中央下部誘電体スペーサ８を間（中間）に配置している。第１下部誘電体スペーサ９及び第２下部誘電体スペーサ１０並びに中央下部誘電体スペーサ８は一体の誘電体スペーサでもよい。また、設置面に埋め込まれていてもよいし、設置面自体がこの機能（誘電体スペーサ）を有していてもよい。第１接続導体１１は、第１サブ柱状導体２と第１メイン柱状導体１とを電気的に接続するものである。第２接続導体１２は、第２サブ柱状導体３と第１メイン柱状導体１とを電気的に接続するものである。第１接続導体１１及び第２接続導体１２は同じ長さである。第１接続導体１１及び第２接続導体１２は、第１メイン柱状導体１，第１サブ柱状導体２，第２サブ柱状導体３の起立の補強材としても機能させることができる。第１上部誘電体スペーサ１３は、第１サブ柱状導体２の先端部分に形成されたものである。第２上部誘電体スペーサ１４は、第２サブ柱状導体３の先端部分に形成されたものである。第１上部誘電体スペーサ１３及び第２上部誘電体スペーサ１４は、例えば、上部側が細い円すい形状となっている。本願の図面では、斜面状の傾斜した部分の下部に径が同じ部分を有するものを示している（特に、図１２（ａ））。図中、同一符号は、同一又は相当部分を示しそれらについての詳細な説明は省略する。
【００１９】
実施の形態１に係るアンテナ装置の構造を説明する。実施の形態１に係るアンテナ装置はダイポールアンテナである。図１〜図６に示すように、ダイポールアンテナの一方のアンテナ素子（励振器部（金属部））は、設置面に載置された中央下部誘電体スペーサ８に基端部分が固定され、起立した第１メイン柱状導体１，設置面に載置され、中央下部誘電体スペーサ８を間に配置した第１下部誘電体スペーサ９及び第２下部誘電体スペーサ１０のうち、第１下部誘電体スペーサ９に基端部分が固定され、起立した第１サブ柱状導体２，第２下部誘電体スペーサ１０に基端部分が固定され、起立した第２サブ柱状導体３の三つの柱状導体から構成されている（下部側アンテナ素子，一方側アンテナ素子）。これらの三つの柱状導体は、前述のように、第１接続導体１１及び第２接続導体１２により、中央下部誘電体スペーサ８，第１下部誘電体スペーサ９，第２下部誘電体スペーサ１０の近傍で電気的に接続されている。
【００２０】
実施の形態１に係るアンテナ装置のダイポールアンテナの他方のアンテナ素子（励振器部（金属部））は、図１〜図６に示すように、中央上部誘電体スペーサ５の第１メイン柱状導体１の先端部分に載置された面と反対の面に、基端部分を固定され、起立した第２メイン柱状導体６と、Ｕ字状に屈曲し、一端を第１上部誘電体スペーサ１３に固定され、他端を第２上部誘電体スペーサ１４に固定され、中央部分７ｃを第２メイン柱状導体４の先端部分に固定されたＵ字状導体７との二つの柱状導体から構成されている（上部側アンテナ素子，他方側アンテナ素子）。本願では、第２メイン柱状導体４は、第１板状導体４ａが形成された上部側第２メイン柱状導体４ｕと給電部６が内蔵された下部側第２メイン柱状導体４ｄとの二つの部材から構成されたものを図示している。なお、給電部６は、第１メイン柱状導体１及び第２メイン柱状導体４に電気的に接続されている。例えば、給電部６に配置された同軸線路の外導体を第１メイン柱状導体１に電気的に接続し、給電部６に配置された同軸線路の中心導体を第２メイン柱状導体４に電気的に接続する。接続の一例としては、前述の特許文献１に記載のものが挙げられる（特に、特許文献１の図２〜図７）。
【００２１】
本願では、給電部６を第２メイン柱状導体４の下部側第２メイン柱状導体４ｄ側に内蔵させたものを例示している。そのため、中央下部誘電体スペーサ８側から、第１メイン柱状導体１，中央上部誘電体スペーサ５，下部側第２メイン柱状導体４ｄ，上部側第２メイン柱状導体４ｕの順で部材が配置（固定）されている。もちろん、給電部６は、第１メイン柱状導体１及び第２メイン柱状導体４の外部から配線してもよいし（例えば、同軸線路）、第１メイン柱状導体１に内蔵させてもよい。給電部６を第１メイン柱状導体１に内蔵させる場合、第１メイン柱状導体１は、中央下部誘電体スペーサ８側の下部側第１メイン柱状導体と給電部６が内蔵された上部側第１メイン柱状導体との二つの部材から構成させるとよい。この場合は、中央下部誘電体スペーサ８側から、下側第１メイン柱状導体，上側第１メイン柱状導体，中央上部誘電体スペーサ５，第２メイン柱状導体４の順で部材が配置（固定）されることになる。この場合は、第２メイン柱状導体４は、一つの柱状導体でもよい。
【００２２】
実施の形態１に係るアンテナ装置においては、第１サブ柱状導体２，第２サブ柱状導体３，第１メイン柱状導体１，第２メイン柱状導体４，Ｕ字状導体７は、中空の導体棒（金属棒，金属パイプ）を用いることで、軽量化を図ることができる。第１サブ柱状導体２，第２サブ柱状導体３，第１メイン柱状導体１，第２メイン柱状導体４，Ｕ字状導体７は、中空の金属棒であり、ダイポールアンテナの励振器を構成しているといえる。
【００２３】
さらに、実施の形態１に係るアンテナ装置の自立又は支線補助による自立に大きく寄与する第１サブ柱状導体２，第２サブ柱状導体３，第１メイン柱状導体１，第２メイン柱状導体４とは異なり、Ｕ字状導体７は、第２メイン柱状導体４に支持されているものである。よって、Ｕ字状導体７は、第１サブ柱状導体２，第２サブ柱状導体３，第１メイン柱状導体１，第２メイン柱状導体４よりも小径とすることができる。また、小径かつ軽量としてもよい。なお、Ｕ字状導体７の第１屈曲部分７ａ及び第２屈曲部分７ｂから先の部分（設置面側に向かう部分）は、第１上部誘電体スペーサ１３及び第２上部誘電体スペーサ１４を介して、第１サブ柱状導体２及び第２サブ柱状導体３にも支持されているといえる。
【００２４】
同じく、実施の形態１に係るアンテナ装置の自立又は支線補助による自立に大きく寄与する第１サブ柱状導体２，第２サブ柱状導体３，第１メイン柱状導体１，第２メイン柱状導体４とは異なり、第１接続導体１１及び第２接続導体１２は、第１サブ柱状導体２，第２サブ柱状導体３，第１メイン柱状導体１，第２メイン柱状導体４よりも小径とすることができる。また、小径かつ軽量としてもよい。なお、第１接続導体１１及び第２接続導体１２は中空であってもよい。但し、第１接続導体１１及び第２接続導体１２によって、と第１サブ柱状導体２及び第２サブ柱状導体３と第１メイン柱状導体１との距離関係（位置関係）を保持する目的も含めて用いる場合は、ある程度の強度が必要となる。
【００２５】
実施の形態１に係るアンテナ装置の構造をさらに詳細に説明する。図１〜図６に示すように、第１メイン柱状導体１は、基端部分に下部フランジを有し、先端部分に上部フランジを有している。上部側第２メイン柱状導体４ｕは、基端部分に下部フランジを有し、先端部分に上部フランジ４ａを有している。下部側第２メイン柱状導体４ｄは、基端部分に下部フランジを有し、先端部分に上部フランジを有している。第１サブ柱状導体２は、基端部分に下部フランジを有し、先端部分に第１上部誘電体スペーサ１３が載置することができる載置部（上部フランジ）を有している。第２サブ柱状導体３は、基端部分に下部フランジを有し、先端部分に第２上部誘電体スペーサ１４が載置することができる載置部（上部フランジ）を有している。第１上部誘電体スペーサ１３は、第１サブ柱状導体２の先端部分に載置された面と反対の面にＵ字状導体７の一端が挿入される孔部（窪み）が形成されている。第２上部誘電体スペーサ１４は、第２サブ柱状導体３の先端部分に載置された面と反対の面にＵ字状導体７の他端が挿入される孔部（窪み）が形成されている。
【００２６】
図１〜図６に示すように、第２メイン柱状導体４において、上部側第２メイン柱状導体４ｕの下部フランジと下部側第２メイン柱状導体４ｄの上部フランジは直接、ボルトなどの締結具で固定されている。上部側第２メイン柱状導体４ｕの上部フランジ４ａとＵ字状導体７は、取付用金具４ｂで接続されている。上部フランジ４ａ（第１板状導体）と取付用金具４ｂ（第２板状導体）とは、ボルトなどの締結具で固定されている。中央上部誘電体スペーサ５，中央下部誘電体スペーサ８，第１下部誘電体スペーサ９，第２下部誘電体スペーサ１０は、中空の誘電体（誘電体スペーサ）である。中央上部誘電体スペーサ５は、第１メイン柱状導体１の上部フランジと下部側第２メイン柱状導体４ｄの下部フランジとを導通させずに固定するものである。第１メイン柱状導体１の上部フランジと下部側第２メイン柱状導体４ｄの下部フランジは、それぞれ中央上部誘電体スペーサ５の対向する面に、ボルトなどの締結具で固定されている。第１メイン柱状導体１の下部フランジは、中央下部誘電体スペーサ８の対向する面に、ボルトなどの締結具で固定されている。同じく、第１サブ柱状導体２及び第２サブ柱状導体３の下部フランジは、それぞれ、第１下部誘電体スペーサ９及び第２下部誘電体スペーサ１０の対向する面に、ボルトなどの締結具で固定されている。
【００２７】
前述したように、第１メイン柱状導体１，第１サブ柱状導体２，第２サブ柱状導体３の下部フランジは、それぞれ、ボルトなどの締結具で、中央下部誘電体スペーサ８，第１下部誘電体スペーサ９，第２下部誘電体スペーサ１０に固定されている。第１接続導体１１は、第１メイン柱状導体１及び第１サブ柱状導体２の下部フランジ間に亘って形成され、ボルトなどの締結具で、第１メイン柱状導体１及び第１サブ柱状導体２の下部フランジに固定されている。第２接続導体１２は、第１メイン柱状導体１及び第２サブ柱状導体３の下部フランジ間に亘って形成され、ボルトなどの締結具で、第１メイン柱状導体１及び第２サブ柱状導体３の下部フランジに固定されている。第１上部誘電体スペーサ１３は、第１サブ柱状導体２の上部フランジ（載置部）とＵ字状導体７の一端との間を導通させずに一定距離を保って固定するものである。第２上部誘電体スペーサ１４は、第２サブ柱状導体３の上部フランジ（載置部）とＵ字状導体７の他端との間を導通させずに一定距離を保って固定するものである。
【００２８】
このような構造を採用すれば、実施の形態１に係るアンテナ装置は、簡便な構造でありながら、低背化を実現したアンテナ装置を容易に得ることができるだけでなく、少ない支線で設置面に起立させることができるアンテナ装置、或いは、支線を用いずとも自立可能なアンテナ装置を容易に得ることができる。
【００２９】
次に、実施の形態１に係るアンテナ装置の動作や小型化について図７により説明する。図７（ａ）（ｂ）は、実施の形態１に係るアンテナ装置の正面図（図１）に対応するもので、励振器部（金属部，アンテナ素子）と給電点６を模式的に示した図である。アンテナ装置の給電点６の両端で電位差を生じるように給電することにより、実線矢印で示した経路に電流が流れる。一般的に、ダイポールアンテナではこの電流経路長が４分の１波長よりも短くなるつれ、利得が低下してしまう。そこで、実施の形態１に係るアンテナ装置のように、励振器部を折り曲げることにより、電流経路長を確保してアンテナの利得低下を抑えつつ、装置を小型化することができる。図７（ｂ）は、図１〜図６に記載のアンテナ装置の具体的な構成要素との対応関係を明示したものであり、点線によって構成要素を切り分けて図示している。
【００３０】
また、図７には、ある瞬間に励振器の水平方向に生じる電流ベクトルを破線矢印で示している。実施の形態１に係るアンテナ装置の構造は、第１サブ柱状導体２と第２サブ柱状導体３との中間に第１メイン柱状導体１が配置された構造，第２メイン柱状導体４が固定する中央部分７ｃの中心近傍を通る線に対して、Ｕ字状導体７が線対称の構造となっている。つまり、実施の形態１に係るアンテナ装置の構造は、中央上部誘電体スペーサ５を介して直列的（直線的）に配置された第１メイン柱状導体１と第２メイン柱状導体４とを中心にして、左右対称なために、これら電流ベクトルは左右で常に打ち消しあう。
【００３１】
したがって、実施の形態１に係るアンテナ装置の構造により、垂直方向を主偏波とする利得が高い、小型のアンテナ装置を得ることができる。実施の形態１に係るアンテナ装置の構造により、ダイポールアンテナの主偏波の利得を維持し、左右対称の構造とすることで交差偏波の利得を抑圧したダイポールアンテナを得ることができる。
【００３２】
続いて、実施の形態１に係るアンテナ装置の設置方法（組み立て手順）を図８〜図１３により説明する。図８は実施の形態１に係るアンテナ装置の設置方法の下部誘電体スペーサ載置工程を示している。この下部誘電体スペーサ載置工程は、第１下部誘電体スペーサ９及び第２下部誘電体スペーサ１０並びに中央下部誘電体スペーサ８を設置面に載置するものである。この際に、第１下部誘電体スペーサ９及び第２下部誘電体スペーサ１０並びに中央下部誘電体スペーサ８を設置面に固定してもよいが、第１サブ柱状導体２及び第２サブ柱状導体３並びに第１メイン柱状導体１を立てる際に、第１サブ柱状導体２及び第２サブ柱状導体３並びに第１メイン柱状導体１とまとめて設置面に固定してもよい。元から、第１下部誘電体スペーサ９及び第２下部誘電体スペーサ１０並びに中央下部誘電体スペーサ８が設置面に配置（固定）されている場合や設置面に誘電体スペーサの機能があれば、下部誘電体スペーサ載置工程は不要となる。
【００３３】
図９は実施の形態１に係るアンテナ装置の設置方法の下部側柱状導体設置工程を示している。この下部側柱状導体設置工程は、第１サブ柱状導体２及び第２サブ柱状導体３並びに第１メイン柱状導体１を設置面の上にそれぞれ立てて、第１サブ柱状導体２と第２サブ柱状導体３との間に第１メイン柱状導体１を配置するものである。実施の形態１に係るアンテナ装置の設置方法に、下部誘電体スペーサ載置工程が必要な場合は、下部側柱状導体設置工程の前に、第１下部誘電体スペーサ９及び第２下部誘電体スペーサ１０並びに中央下部誘電体スペーサ８を設置面に載置する下部誘電体スペーサ載置工程を行う必要がある。つまり、下部側柱状導体設置工程は、設置面に載置された第１下部誘電体スペーサ９及び第２下部誘電体スペーサ１０並びに中央下部誘電体スペーサ８に、第１サブ柱状導体２及び第２サブ柱状導体３並びに第１メイン柱状導体１の基端部分をそれぞれ固定するものであるといえる。
【００３４】
図１０は実施の形態１に係るアンテナ装置の設置方法の下部側柱状導体電気接続工程を示している。この下部側柱状導体電気接続工程は、第１サブ柱状導体２及び第２サブ柱状導体３を第１メイン柱状導体１に電気的に接続するものである。詳しくは、第１メイン柱状導体１と第１サブ柱状導体２とを第１接続導体１１で接続する工程と第１メイン柱状導体１と第２サブ柱状導体３とを第２接続導体１２で接続する工程とからなる。なお、下部側柱状導体電気接続工程の実施順は問わない。後述のＵ字状導体固定工程や配線工程の後でもよい。また、下部側柱状導体電気接続工程は、第１接続導体１１及び第２接続導体１２による補強ともいえるので、下部側柱状導体補強工程ともいえる。
【００３５】
図１１は実施の形態１に係るアンテナ装置の設置方法の上部側柱状導体設置工程を示している。この上部側柱状導体設置工程は、第１メイン柱状導体１の先端部分に載置（固定）された中央上部誘電体スペーサ５の第１メイン柱状導体１の先端部分に載置（固定）された面と反対の面に、第２メイン柱状導体４の基端部分（下部側第２メイン柱状導体４ｄの下部フランジ）を固定して第２メイン柱状導体４を立てるものである。なお、下部側柱状導体設置工程の前に上部側柱状導体設置工程を行ってもよい。つまり、下部側柱状導体設置工程で設置面に、中央上部誘電体スペーサ５を介して第２メイン柱状導体４が接続された第１メイン柱状導体１を立てることになる。図示は省略するが、上部側柱状導体設置工程の前に、第１メイン柱状導体１の先端部分（上部フランジ）に中央上部誘電体スペーサ５を載置（固定）する上部誘電体スペーサ載置工程（メイン柱状導体用上部誘電体スペーサ載置工程）を実施する。
【００３６】
図１２及び図１３は実施の形態１に係るアンテナ装置の設置方法のＵ字状導体固定工程を示している。このＵ字状導体固定工程は、第１上部誘電体スペーサ１３の第１サブ柱状導体２の先端部分に載置された面と反対の面に、Ｕ字状に屈曲したＵ字状導体７の一端を固定し、第２上部誘電体スペーサ１４の第２サブ柱状導体３の先端部分に載置された面と反対の面に、Ｕ字状導体７の他端を固定し、Ｕ字状導体７の中央部分７ｃを第２メイン柱状導体４の先端部分に固定するものである。図１２（ａ）では、第１サブ柱状導体２，第２サブ柱状導体３，Ｕ字状導体７は中空のものを示している。同じく、図１２（ａ）では後述する固定具３４が挿入される孔が、第１上部誘電体スペーサ１３及び第２上部誘電体スペーサ１４における円すい形状の斜面に穿たれている（開けられている）。固定具３４の材質は強度が確保できれば特に問わない。
【００３７】
本願では、Ｕ字状導体固定工程において、第１上部誘電体スペーサ１３の孔部にＵ字状導体７の一端を差し込んで固定し、第２上部誘電体スペーサ１４の孔部にＵ字状導体７の他端を差し込んで固定している。図１２（ａ）に示すように、Ｕ字状導体７の一端と第１上部誘電体スペーサ１３には径方向に孔が開いており、Ｕ字状導体７の一端を第１上部誘電体スペーサ１３に挿入して、Ｕ字状導体７の一端と第１上部誘電体スペーサ１３との孔に、Ｕ字状導体７の固定用の固定具３４を挿入して、Ｕ字状導体７の一端を第１上部誘電体スペーサ１３に固定する。同じく、図１２（ａ）に示すように、Ｕ字状導体７の他端と第２上部誘電体スペーサ１４には径方向に孔が開いており、Ｕ字状導体７の他端を第２上部誘電体スペーサ１４に挿入して、Ｕ字状導体７の他端と第２上部誘電体スペーサ１４との孔に、Ｕ字状導体７の固定用の固定具３４を挿入して、Ｕ字状導体７の他端を第２上部誘電体スペーサ１４に固定する。図１２（ａ）では、固定具３４はネジを図示しているがこれに限るものでなく、挿抜自在のピンなどでもよい。
【００３８】
また、図１２（ａ）に示すように、第１上部誘電体スペーサ１３及び第２上部誘電体スペーサ１４の孔部は、細いＵ字状導体７の両端を差込むことができる程度の窪みでよい。これによって、第１サブ柱状導体２とＵ字状導体７（一端）とを導通させず、固定具３４により固定でき、第２サブ柱状導体３とＵ字状導体７（他端）とを導通させず、固定具３４により固定できる。また、Ｕ字状導体７の中央部分７ｃは、第２メイン柱状導体４の先端部分に形成された第１板状導体４ａ（上部側第２メイン柱状導体４ｕの上部フランジ４ａ）と第１板状導体４ａ上に配置される第２板状導体４ｂ（取付用金具４ｂ）との間に挟み込んでボルトなど固定具で固定されている。
【００３９】
Ｕ字状導体固定工程にて、第１上部誘電体スペーサ１３及び第２上部誘電体スペーサ１４の孔部を用いる場合は、Ｕ字状導体７の中心部分７ｃの固定の前に、Ｕ字状導体７の一端及び他端の固定を行った方が、作業を容易に行える。例えば、Ｕ字状導体７の中心部分７ｃを第２メイン柱状導体４の先端部分（上部フランジ４ａ）に押し当てながら、或いは、Ｕ字状導体７の中心部分７ｃを第２メイン柱状導体４の先端部分（上部フランジ４ａ）に引っ掛けて、Ｕ字状導体７の一端及び他端を、それぞれ、第１上部誘電体スペーサ１３及び第２上部誘電体スペーサ１４の孔部に挿入するなどの方法が考えられる。この際、前述の溝部が、第２メイン柱状導体４の上部フランジ４ａ（第１板状導体４ａ）に形成されていると、Ｕ字状導体７を上部フランジ４ａ（第１板状導体４ａ）に押し当てや引っ掛けやすい。なお、Ｕ字状導体７を中心部分７ｃで二分割した構造としてよい。
【００４０】
つまり、Ｌ字状のＬ字状導体が組み合わさったものとなる。第１屈曲部７ａ（第２屈曲部７ｂ）に対して、一方の端部が、第１上部誘電体スペーサ１３（第２上部誘電体スペーサ１４）に固定（挿入）され、他方の端部が第２メイン柱状導体４の先端部分（上部フランジ４ａ（第１板状導体４ａ）と取付用金具４ｂ（第２板状導体４ｂ）と）で固定される。この場合は、上部フランジ４ａ（第１板状導体４ａ）と取付用金具４ｂ（第２板状導体４ｂ）とで固定することで一体としてもよいし、Ｕ字状導体７を管状の導体で形成し、一方を他方へ挿入することで、一体としてもよい。この変形例として、Ｕ字状導体７を管状の導体で形成し、Ｕ字状導体７を上部フランジ４ａ（第１板状導体４ａ）に差し込むようにしてもよい。つまり、Ｕ字状導体７は、分割されたものを中央部分７ｃにて一体的に固定されるものでもよい。ここでいう一体的とは、電気的に一体と見なしてもよいことを意味している。さらに、Ｕ字状導体７は第１屈曲部分７ａや第２屈曲部分７ｂで分割できる構造でもよい。
【００４１】
Ｕ字状導体固定工程前に、図示は省略するが、第１サブ柱状導体２の先端部分（上部フランジ）に第１上部誘電体スペーサ１３を載置し、第２サブ柱状導体３の先端部分（上部フランジ）に第２上部誘電体スペーサ１４を載置する上部誘電体スペーサ載置工程（サブ柱状導体用上部誘電体スペーサ載置工程）を実施する。第１上部誘電体スペーサ１３及び第２上部誘電体スペーサ１４が前述の円すい形状である場合は、径が大きい下部側にボルト穴を穿ち、第１サブ柱状導体２及び第２サブ柱状導体３の先端部分（上部フランジ）にボルトなどの締結具で固定すればよい。
【００４２】
図示は、省略するが、上部側柱状導体設置工程の後（多くは、Ｕ字状導体固定工程後）に配線工程を行う。図１〜図６，図８〜図１３に示すような第２メイン柱状導体４側に給電部６が配置されている場合、つまり、中空の第２メイン柱状導体４の内部に配置された給電部６と第１メイン柱状導体１とを、中空の中央下部誘電体スペーサ５内を介して配線によって電気的に接続する。第１メイン柱状導体１側に給電部６が配置されている場合は、中空の第１メイン柱状導体１の内部に配置された給電部６と第２メイン柱状導体４とを、中空の中央下部誘電体スペーサ５内を介して配線によって電気的に接続する。同軸線路を用いる場合は、中央下部誘電体スペーサ５内を介して同軸線路の中心導体が配線される。
【００４３】
したがって、実施の形態１に係るアンテナ装置の設置方法により、垂直方向を主偏波とする利得が高い、小型のアンテナ装置を得ることができ、ダイポールアンテナの主偏波の利得を維持し、左右対称の構造とすることで交差偏波の利得を抑圧したダイポールアンテナを得ることができるだけでなく、その搬送、組立て、設置が容易で、かつ支線などの支持部材の必要数が少ない、または支持部材無しで自立するダイポールアンテナを得ることができる。
【００４４】
実施の形態２．
この発明の実施の形態２について図１４，図１５，図１６を用いて説明する。図１４に示すアンテナ装置と図１５に示すアンテナ装置との関係は、後述する第１接続体１１ｄ及び第２接続体１２ｄによる補強の有無である。図１５に示すアンテナ装置は、後述する第１接続体１１ｄ及び第２接続体１２ｄによる補強付きのものである。よって、図１５に示すアンテナ装置の設置方法には、後述する下部側柱状導体補強（下部側柱状体補強）工程はあるが、図１４に示すアンテナ装置の設置方法にはない。図１６（ａ）は、図１４及び図１５に記載のアンテナ装置の具体的な構成要素との対応関係を明示したものであり、点線によって構成要素を切り分けて図示している。図１６（ｂ）は、図１４に示すアンテナ装置の正面図及び図１５に示すアンテナ装置の正面図における点線部分の拡大断面図（例えば、実施の形態１における図２に示す平面図を見る方向で柱状導体及びＵ字状導体を二分割したもの、換言すると、柱状導体及びＵ字状導体が延伸する方向に柱状導体及びＵ字状導体を二分割したもの）である。実施の形態１に係るアンテナ装置（及びアンテナ装置の設置方法）は、ダイポールアンテナを対象とするものであったが、実施の形態２に係るアンテナ装置（及びアンテナ装置の設置方法）は、モノポールアンテナを対象とするものである。
【００４５】
つまり、本願に係るアンテナ装置（及びアンテナ装置の設置方法）は、モノポールアンテナ及びダイポールアンテナに適用できるものである。なお、実施の形態２に係るアンテナ装置の設置面は、地面や建物の屋上などが想定される。実施の形態に記載する本発明の構成はその一例であり、実施の形態に示すもののみに本発明が拘束されるものではない。実施の形態２では、実施の形態１と異なる部分を中心に説明を行い、アンテナ構造や誘電体スペーサ構造などの共通する部分の説明は省略する場合がある。
【００４６】
実施の形態１及び２に係るアンテナ装置（及びアンテナ装置の設置方法）の相違点は、次の通りである。実施の形態１では、ダイポールアンテナの一方のアンテナ素子が、第１メイン柱状導体１，第１サブ柱状導体２，第２サブ柱状導体３，第１接続導体１１，第２接続導体１２から構成され、ダイポールアンテナの他方のアンテナ素子が、第２柱状導体４，Ｕ字状導体７から構成され、給電点６（給電部６）が第１メイン柱状導体１の先端部分と第２メイン柱状導体４の基端部分との間に配置されている。これに対して、実施の形態２では、モノポールアンテナの一方のアンテナ素子が、導体地板１６（グランド，アース面）で構成され、モノポールアンテナの他方のアンテナ素子が、メイン柱状導体１５（第１メイン柱状導体１及び第２柱状導体４に相当），第１サブ柱状導体２(若しくは、誘電体などの絶縁性の部材からなる第１サブ柱状体２ｄ)，第２サブ柱状導体３(若しくは、誘電体などの絶縁性の部材からなる第２サブ柱状体３ｄ)，Ｕ字状導体７から構成され、給電点６（給電部６）がメイン柱状導体１５の基端部分と導体地板１６との間に配置されている。図１５に示すアンテナ装置では、補強として、誘電体などの絶縁性の部材からなる第１接続体１１ｄ、及び、誘電体などの絶縁性の部材からなる第２接続体１２ｄを備えている。詳しくは、第１接続体１１ｄ及び第２接続体１２ｄは、それぞれ第１接続導体１１及び第２接続導体１２の少なくとも、メイン柱状導体１５と接触する部分が絶縁性の部材になったものである。
【００４７】
図１４，図１５，図１６において、メイン柱状導体１５は、第１サブ柱状導体２（第１サブ柱状体２ｄ）に並んで配列された第２サブ柱状導体３（第２サブ柱状体３ｄ）と第１サブ柱状導体２（第１サブ柱状体２ｄ）との間（中間）に配列されている。つまり、第１サブ柱状導体２（第１サブ柱状体２ｄ）と第２サブ柱状導体３（第２サブ柱状体３ｄ）との中間にメイン柱状導体１５が配置されている。Ｕ字状導体７は、Ｕ字状に屈曲し、一端を第１サブ柱状導体２（第１サブ柱状体２ｄ）の先端部分に対向させ、他端を第２サブ柱状導体３（第２サブ柱状体３ｄ）の先端部分に対向させ、中央部分７ｃをメイン柱状導体１５の先端部分に固定されている。詳しくは、メイン柱状導体１５が中央部分７ｃの中心近傍を固定しているので、この中心近傍を通る線に対して、Ｕ字状導体７は線対称の構造となっている。図中、同一符号は、同一又は相当部分を示しそれらについての詳細な説明は省略する。
【００４８】
図１４，図１５，図１６において、メイン柱状導体１５は、先端部分に形成された第１板状導体（上部フランジ）４ａと第１板状導体４ａ上に配置される第２板状導体４ｂ（取付用金具）とを有し、第１板状導体４ａと第２板状導体４ｂとの間に、Ｕ字状導体７の中央部分７ｃを挟み込んで固定するものである。実施の形態１と同様に、第２板状導体４ｂは、メイン柱状導体１５とは別の部材であるので、Ｕ字状導体７の固定後に、第２板状導体４ｂがメイン柱状導体１５の一部になる。また、第１板状導体４ａ又は第２板状導体４ｂの少なくとも一方は、Ｕ字状導体７が入る溝部を有するものとしてよい。本願では、第２板状導体４ｂにＵ字状導体７が入る溝部が形成されたものを図示している。もちろん、第２板状導体４ｂを廃して、第１板状導体４ａ（上部フランジ４ａ）のみ構造としてもよい。この場合は、第１板状導体４ａ（上部フランジ４ａ）にＵ字状導体７が入る溝部を形成すれば、Ｕ字状導体７が保持しやすい。なお、Ｕ字状導体７は、一端から第１屈曲部分７ａまで直線的に延びた第１直線部分と、他端から第２屈曲部分７ｂまで直線的に延びた第２直線部分と、第１屈曲部分７ａから第２屈曲部分７ｂまで直線的に延びた中央部分７ｃとからなるものである。図中、同一符号は、同一又は相当部分を示しそれらについての詳細な説明は省略する。
【００４９】
図１４，図１５，図１６において、導体地板１６（金属地板１６）は、設置面に形成された導体の平板である。給電部６は、第１サブ柱状導体２（第１サブ柱状体２ｄ）及び第２サブ柱状導体３（第２サブ柱状体３ｄ）並びにメイン柱状導体１５の基端部分の下方に絶縁されて配置された導体地板１６と、メイン柱状導体１５とに電気的に接続されている。メイン柱状導体１５は、中央下部誘電体スペーサ８を介して導体地板１６と対向して直線的に配置されている。給電部（給電点）６は、メイン柱状導体１５の基端部分に内蔵され、メイン柱状導体１５及び導体地板１６に電気的に接続されている。中央下部誘電体スペーサ８は設置面に形成された導体地板１６に載置されている。第１下部誘電体スペーサ９及び第２下部誘電体スペーサ１０は、それぞれ、設置面に形成された導体地板１６に載置され、中央下部誘電体スペーサ８を間（中間）に配置している。第１下部誘電体スペーサ９及び第２下部誘電体スペーサ１０並びに中央下部誘電体スペーサ８は一体の誘電体スペーサでもよい。第１接続体１１ｄは、第１サブ柱状導体２（第１サブ柱状体２ｄ）とメイン柱状導体１５とを固定するものである。第２接続体１２ｄは、第２サブ柱状導体３（第２サブ柱状体３ｄ）とメイン柱状導体１５とを固定するものである。第１接続体１１ｄ及び第２接続体１２ｄは同じ長さである。第１下部導体スペーサ９ｍ及び第２下部導体スペーサ１０ｍは、実施の形態１で説明した第１下部誘電体スペーサ９及び第２下部誘電体スペーサ１０が、金属などの導体に置換されたものである。図中、同一符号は、同一又は相当部分を示しそれらについての詳細な説明は省略する。
【００５０】
実施の形態２に係るアンテナ装置の構造を説明する。実施の形態２に係るアンテナ装置はモノポールアンテナである。実施の形態２に係るアンテナ装置のモノポールアンテナの一方のアンテナ素子（励振器部（金属部））は、図１４及び図１５に示すように、導体地板１６から構成されている（下部側アンテナ素子，他方側アンテナ素子）。実施の形態２に係るアンテナ装置のモノポールアンテナの他方のアンテナ素子（励振器部（金属部））は、設置面に形成された導体地板１６に載置された中央下部誘電体スペーサ８に基端部分が固定され、起立したメイン柱状導体１５，Ｕ字状に屈曲し、一端を第１上部誘電体スペーサ１３に固定され、他端を第２上部誘電体スペーサ１４に固定され、中央部分７ｃをメイン柱状導体１５の先端部分に固定されたＵ字状導体７の四つの柱状導体から構成されている（上部側アンテナ素子，他方側アンテナ素子）。
【００５１】
また、本願では、メイン柱状導体１５は、第１板状導体４ａが形成された上部側メイン柱状導体１５ｕと給電部６が内蔵された下部側メイン柱状導体１５ｄとの二つの部材から構成されたものを図示している。なお、給電部６は、例えば、給電部６に配置された同軸線路の外導体を導体地板１６に電気的に接続し、給電部６に配置された同軸線路の中心導体をメイン柱状導体１５に電気的に接続する。
【００５２】
本願では、給電部６をメイン柱状導体１５の下部側メイン柱状導体１５ｄ側に内蔵させたものを例示している。そのため、中央下部誘電体スペーサ８側から、下部側メイン柱状導体１５ｄ，上部側メイン柱状導体１５ｕの順で部材が配置（固定）されている。もちろん、給電部６は、メイン柱状導体１５の外部から配線してもよい（例えば、同軸線路）。実施の形態２に係るアンテナ装置においては、第１サブ柱状導体２，第２サブ柱状導体３，メイン柱状導体１５，Ｕ字状導体７は、中空の導体棒（金属棒，金属パイプ）を用いることで、軽量化を図ることができる。同じく、第１サブ柱状体２ｄ及ぶ第２サブ柱状体３ｄは、中空の棒を用いることで、軽量化を図ることができる。メイン柱状導体１５，Ｕ字状導体７は、中空の金属棒であり、モノポールアンテナの励振器を構成しているといえる。
【００５３】
さらに、実施の形態２に係るアンテナ装置の自立又は支線補助による自立に大きく寄与する第１サブ柱状導体２（第１サブ柱状体２ｄ），第２サブ柱状導体３（第２サブ柱状体３ｄ），メイン柱状導体１５とは異なり、Ｕ字状導体７は、メイン柱状導体１５に支持されているものである。よって、Ｕ字状導体７は、実施の形態１と同様に、第１サブ柱状導体２（第１サブ柱状体２ｄ），第２サブ柱状導体３（第２サブ柱状体３ｄ），メイン柱状導体１５よりも小径とすることができる。また、小径かつ軽量としてもよい。なお、Ｕ字状導体７の第１屈曲部分７ａ及び第２屈曲部分７ｂから先の部分（設置面側に向かう部分）は、第１上部誘電体スペーサ１３及び第２上部誘電体スペーサ１４を介して、第１サブ柱状導体２（第１サブ柱状体２ｄ）及び第２サブ柱状導体３（第２サブ柱状体３ｄ）にも支持されているといえる。
【００５４】
同じく、実施の形態２に係るアンテナ装置の自立又は支線補助による自立に大きく寄与する第１サブ柱状導体２（第１サブ柱状体２ｄ），第２サブ柱状導体３（第２サブ柱状体３ｄ），メイン柱状導体１５とは異なり、図１５に示す第１接続体１１ｄ及び第２接続体１２ｄは、第１サブ柱状導体２（第１サブ柱状体２ｄ），第２サブ柱状導体３（第２サブ柱状体３ｄ），メイン柱状導体１５よりも小径とすることができる。また、小径かつ軽量としてもよい。なお、第１接続体１１ｄ及び第２接続体１２ｄは中空であってもよい。但し、第１接続体１１ｄ及び第２接続体１２ｄによって、と第１サブ柱状導体２（第１サブ柱状体２ｄ）及び第２サブ柱状導体３（第２サブ柱状体３ｄ）とメイン柱状導体１５との距離関係（位置関係）を保持する目的も含めて用いる場合は、ある程度の強度が必要となる。
【００５５】
実施の形態２に係るアンテナ装置の構造をさらに詳細に説明する。図１４及び図１５に示すように、上部側メイン柱状導体１５ｕは、基端部分に下部フランジを有し、先端部分に上部フランジ４ａを有している。下部側メイン柱状導体１５ｄは、基端部分に下部フランジを有し、先端部分に上部フランジを有している。図１４及び図１５に示すように、メイン柱状導体１５において、上部側メイン柱状導体１５ｕの下部フランジと下部側メイン柱状導体１５ｄの上部フランジは直接、ボルトなどの締結具で固定されている。上部側メイン柱状導体１５ｕの上部フランジ４ａとＵ字状導体７は、取付用金具４ｂで接続されている。中央下部誘電体スペーサ８は、下部側メイン柱状導体１５ｄ（メイン柱状導体１５）の下部フランジと導体地板６とを導通させずに固定するものである。下部側メイン柱状導体１５ｄの下部フランジは、中央下部誘電体スペーサ８の対向する面に、ボルトなどの締結具で固定されている。
【００５６】
図１５に示すように、第１接続体１１ｄは、メイン柱状導体１５及び第１サブ柱状導体２（第１サブ柱状体２ｄ）の下部フランジ間に亘って形成され、ボルトなどの締結具で、メイン柱状導体１５及び第１サブ柱状導体２（第１サブ柱状体２ｄ）の下部フランジに固定されている。第２接続体１２ｄは、メイン柱状導体１５及び第２サブ柱状導体３（第２サブ柱状体３ｄ）の下部フランジ間に亘って形成され、ボルトなどの締結具で、メイン柱状導体１５及び第２サブ柱状導体３（第２サブ柱状体３ｄ）の下部フランジに固定されている。
【００５７】
このような構造を採用すれば、実施の形態２に係るアンテナ装置は、実施の形態１に係るアンテナ装置と同様に、簡便な構造でありながら、低背化を実現したアンテナ装置を容易に得ることができるだけでなく、少ない支線で設置面に起立させることができるアンテナ装置、或いは、支線を用いずとも自立可能なアンテナ装置を容易に得ることができる。特に、図１５に示す構造では、第１接続体１１ｄ及び第２接続体１２ｄが、強度の確保に寄与する。
【００５８】
次に、実施の形態２に係るアンテナ装置の動作や小型化について図１６（ａ）により説明する。図１６（ａ）は、実施の形態２に係るアンテナ装置の正面図（図１４及び図１５）に対応するもので、励振器部（金属部，アンテナ素子）と給電点６を模式的に示した図である。モノポールアンテンは、４分の１波長の導体（前述の上部側アンテナ素子，他方側アンテナ素子に相当）をグランドに起立させ、グランド面との間で電圧供給すると導体（前述の上部側アンテナ素子，他方側アンテナ素子に相当）の鏡像とに対して、アンテナ装置の給電点６の両端で電位差を生じるように給電することにより、ダイポールアンテナと等価なる。よって、励振器部（前述の上部側アンテナ素子，他方側アンテナ素子に相当）を折り曲げることにより、電流経路長を確保してアンテナの利得低下を抑えつつ、装置を小型化することができる。
【００５９】
実施の形態２に係るアンテナ装置の構造により、垂直方向を主偏波とする利得が高い、小型のアンテナ装置を得ることができる。実施の形態２に係るアンテナ装置の構造により、モノポールアンテナの主偏波の利得を維持し、左右対称の構造とすることで交差偏波の利得を抑圧したモノポールアンテナを得ることができる。
【００６０】
続いて、実施の形態２に係るアンテナ装置の設置方法（組み立て手順）を説明する。実施の形態１とは異なり、実施の形態２おいて、図１５に示すアンテナ装置の設置方法では、下部側柱状導体補強（下部側柱状体補強）工程はあるが、下部側柱状導体電気接続工程がない。なお、図１４に示すアンテナ装置の設置方法では、両方の工程がない。実施の形態２に係るアンテナ装置の設置方法における下部誘電体スペーサ（下部導体スペーサ）載置工程は、第１下部誘電体スペーサ９（第１下部導体スペーサ９ｍ）及び第２下部誘電体スペーサ１０（第２下部導体スペーサ１０ｍ）並びに中央下部誘電体スペーサ８を設置面に形成された導体地板１６に載置するものである。下部誘電体スペーサ（下部導体スペーサ）載置工程は、下部スペーサ載置工程ともいえる。下部スペーサ載置工程の際に、第１下部誘電体スペーサ９（第１下部導体スペーサ９ｍ）及び第２下部誘電体スペーサ１０（第２下部導体スペーサ１０ｍ）並びに中央下部誘電体スペーサ８を設置面に形成された導体地板１６に固定してもよいが、第１サブ柱状導体２（第１サブ柱状体２ｄ）及び第２サブ柱状導体３（第２サブ柱状体３ｄ）並びにメイン柱状導体１５を立てる際に、第１サブ柱状導体２（第１サブ柱状体２ｄ）及び第２サブ柱状導体３（第２サブ柱状体３ｄ）並びにメイン柱状導体１５とまとめて導体地板１６に固定してもよい。元から、第１下部誘電体スペーサ９（第１下部導体スペーサ９ｍ）及び第２下部誘電体スペーサ１０（第２下部導体スペーサ１０ｍ）並びに中央下部誘電体スペーサ８が設置面に形成された導体地板１６に配置（固定）されている場合や下部スペーサ載置工程は不要となる。設置面に導体地板１６を載置（固定）する導体地板載置工程を行う必要がある場合は、下部スペーサ載置工程前に行う。
【００６１】
実施の形態２に係るアンテナ装置の設置方法における下部側柱状導体（下部側柱状体）設置工程は、第１サブ柱状導体２（第１サブ柱状体２ｄ）及び第２サブ柱状導体３（第２サブ柱状体３ｄ）並びにメイン柱状導体１５を設置面の上にそれぞれ立てて、第１サブ柱状導体２（第１サブ柱状体２ｄ）と第２サブ柱状導体３（第２サブ柱状体３ｄ）との間にメイン柱状導体１５を配置するものである。実施の形態２に係るアンテナ装置の設置方法に、下部スペーサ載置工程が必要な場合は、下部側柱状導体（下部側柱状体）設置工程の前に、第１下部誘電体スペーサ９（第１下部誘電体スペーサ９ｍ）及び第２下部誘電体スペーサ１０（第２下部誘電体スペーサ１０ｍ）並びに中央下部誘電体スペーサ８を設置面に載置する下部誘電体スペーサ（下部導体スペーサ）載置工程を行う必要がある。つまり、下部側柱状導体（下部側柱状体）設置工程は、設置面に載置された第１下部誘電体スペーサ９（第１下部導体スペーサ９ｍ）及び第２下部誘電体スペーサ１０（第２下部導体スペーサ１０ｍ）並びに中央下部誘電体スペーサ８に、第１サブ柱状導体２（第１サブ柱状体２ｄ）及び第２サブ柱状導体３（第２サブ柱状体３ｄ）並びにメイン柱状導体１５の基端部分をそれぞれ固定するものであるといえる。
【００６２】
実施の形態２に係るアンテナ装置の設置方法における下部側柱状導体補強（下部側柱状体補強）工程は、図１４に示す第１接続体１１ｄ及び第２接続体１２ｄを用いない場合は、不要である。図１５に示すアンテナ装置では必要となる。下部側柱状導体補強（下部側柱状体補強）工程は、第１サブ柱状導体２（第１サブ柱状体２ｄ）及び第２サブ柱状導体３（第２サブ柱状体３ｄ）をメイン柱状導体１５に固定するものである。詳しくは、メイン柱状導体１５と第１サブ柱状導体２（第１サブ柱状体２ｄ）とを第１接続体１１ｄで接続する工程とメイン柱状導体１５と第２サブ柱状導体３（第２サブ柱状体３ｄ）とを第２接続体１２ｄで接続する工程とからなる。なお、下部側柱状導体補強（下部側柱状体補強）工程の実施順は問わない。後述のＵ字状導体固定工程や配線工程の後でもよい。
【００６３】
実施の形態２に係るアンテナ装置の設置方法におけるＵ字状導体固定工程は、第１上部誘電体スペーサ１３の第１サブ柱状導体２（第１サブ柱状体２ｄ）の先端部分に載置された面と反対の面に、Ｕ字状に屈曲したＵ字状導体７の一端を固定し、第２上部誘電体スペーサ１４の第２サブ柱状導体３（第２サブ柱状体３ｄ）の先端部分に載置された面と反対の面に、Ｕ字状導体７の他端を固定し、Ｕ字状導体７の中央部分７ｃを第２メイン柱状導体４の先端部分に固定するものである。本願では、Ｕ字状導体固定工程において、第１上部誘電体スペーサ１３の孔部にＵ字状導体７の一端を差し込んで固定し、第２上部誘電体スペーサ１４の孔部にＵ字状導体７の他端を差し込んで固定している。
【００６４】
実施の形態１と同じく、Ｕ字状導体固定工程にて、第１上部誘電体スペーサ１３及び第２上部誘電体スペーサ１４の孔部を用いる場合は、Ｕ字状導体７の中心部分７ｃの固定の前に、Ｕ字状導体７の一端及び他端の固定を行った方が、作業を容易に行える。図１６（ｂ）では、図１２（ａ）と同様に、第１サブ柱状導体２（第２サブ柱状導体２ｄ），第２サブ柱状導体３（第２サブ柱状導体３ｄ），Ｕ字状導体７は中空のものを示している。同じく、図１６（ｂ）では固定具３４が挿入される孔が、第１上部誘電体スペーサ１３及び第２上部誘電体スペーサ１４における円すい形状の斜面に穿たれている（開けられている）。固定具３４の材質は強度が確保できれば特に問わない。例えば、Ｕ字状導体７の中心部分７ｃをメイン柱状導体１５の先端部分（上部フランジ４ａ）に押し当てながら、或いは、Ｕ字状導体７の中心部分７ｃをメイン柱状導体１５の先端部分（上部フランジ４ａ）に引っ掛けて、Ｕ字状導体７の一端及び他端を、それぞれ、第１上部誘電体スペーサ１３及び第２上部誘電体スペーサ１４の孔部に挿入し、固定具３４により固定するなどの方法が考えられる。この際、前述の溝部が、メイン柱状導体１５の上部フランジ４ａ（第１板状導体４ａ）に形成されていると、Ｕ字状導体７を上部フランジ４ａ（第１板状導体４ａ）に押し当てや引っ掛けやすい。Ｕ字状導体固定工程前に、実施の形態１と同じく、上部誘電体スペーサ載置工程（サブ柱状導体用上部誘電体スペーサ載置工程）を実施する。第１上部誘電体スペーサ１３及び第２上部誘電体スペーサ１４が前述の円すい形状である場合も固定方法も前述の通りである。
【００６５】
実施の形態２では、下部側柱状導体設置工程の後（多くは、Ｕ字状導体固定工程後）に配線工程を行う。図１４及び図１５に示すような給電部６の配置の場合、つまり、中空のメイン柱状導体１５の内部に配置された給電部６と導体地板１６とを、中空の中央下部誘電体スペーサ５内を介して配線によって電気的に接続する。同軸線路の中心導体を導体地板１６と接続する場合、同軸線路を用いる場合は、中央下部誘電体スペーサ５内を介して同軸線路の中心導体が配線される。
【００６６】
したがって、実施の形態２に係るアンテナ装置の設置方法により、垂直方向を主偏波とする利得が高い、小型のアンテナ装置を得ることができ、モノポールアンテナの主偏波の利得を維持し、左右対称の構造とすることで交差偏波の利得を抑圧したモノポールアンテナを得ることができるだけでなく、その搬送、組立て、設置が容易で、かつ支線などの支持部材の必要数が少ない、または支持部材無しで自立するモノポールアンテナを得ることができる。
【００６７】
なお、実施の形態２に係るアンテナ装置（及びアンテナ装置の設置方法）において、第１サブ柱状導体２と第２サブ柱状導体３とをそれぞれ接地し、つまり、導体地板１６と電気的に接続することで、第１サブ柱状導体２及び第２サブ柱状導体３をモノポールアンテナのスリーブ導体として機能させてもよい。これは、第１サブ柱状導体２及び第２サブ柱状導体３が、それぞれ、第１上部誘電体スペーサ１３及び第２上部誘電体スペーサ１４によって、Ｕ字状導体７と絶縁されているからである。このような場合、実施の形態２に係るアンテナ装置の設置方法は、下部側柱状導体補強工程（実施する場合）に加え、下部側柱状導体接地工程を実施することになる。
【００６８】
なお、第１下部誘電体スペーサ９及び第２下部誘電体スペーサ１０の代わりに、第１下部導体スペーサ９ｍ及び第２下部導体スペーサ１０ｍを使用する場合、下部側柱状導体接地工程は、下部側柱状導体設置工程時に、第１サブ柱状導体２及び第２サブ柱状導体３が導体地板１６と電気的に接続され、接地状態になるので、下部側柱状導体設置工程の完了を下部側柱状導体接地工程の終了としてもよい。よって、この場合は、下部側柱状導体接地工程は、下部側柱状導体設置工程内で行われると解釈できる。もちろん、第１サブ柱状導体２と第１下部導体スペーサ９ｍとが一体であってもよい。第２サブ柱状導体３と第２下部導体スペーサ１０ｍとが一体であってもよい。この場合、第１サブ柱状導体２及び第２サブ柱状導体３に関しては、下部誘電体スペーサ（下部導体スペーサ）載置工程，下部側柱状導体設置工程，下部側柱状導体接地工程が一つの工程で実施されるとみなすことができる。
【００６９】
第１下部誘電体スペーサ９及び第２下部誘電体スペーサ１０を用いる場合、実施の形態２に係るアンテナ装置の設置方法における下部側柱状導体接地工程は、第１サブ柱状導体２と導体地板１６とを電気的に接続する工程及び第２サブ柱状導体３と導体地板１６とを電気的に接続する工程からなるものである。このようなアンテナ装置（及びアンテナ装置の設置方法）では、第１下部誘電体スペーサ９及び第２下部誘電体スペーサ１０は不要となるが、中空の第１下部誘電体スペーサ９及び中空の第２下部誘電体スペーサ１０を用いて、第１下部誘電体スペーサ９及び第２下部誘電体スペーサ１０の内部にそれぞれ配線を通し、接地してもよい。実施の形態２に係るアンテナ装置としては、第１サブ柱状導体２と第２サブ柱状導体３との間（中間）に配列されたたメイン柱状導体１において、第１サブ柱状導体２及び第２サブ柱状導体３はスリーブ導体として機能するので、アンテナ装置の広帯域化を図ることができる。
【００７０】
実施の形態２に係るアンテナ装置の設置方法は、設置面に形成された導体地板１６に載置された第１下部誘電体スペーサ９及び第２下部誘電体スペーサ１０並びに中央下部誘電体スペーサ８に、第１サブ柱状導体２及び第２サブ柱状導体３並びにメイン柱状導体１５の基端部分をそれぞれ固定し、第１サブ柱状導体２及び第２サブ柱状導体３並びにメイン柱状導体１５を導体地板１６の上にそれぞれ立てて、第１サブ柱状導体２と第２サブ柱状導体３との間にメイン柱状導体１５を配置する下部側柱状導体設置工程と、第１サブ柱状導体２の先端部分に第１上部誘電体スペーサ１３を載置し、第２サブ柱状導体３の先端部分に第２上部誘電体スペーサ１４を載置する上部誘電体スペーサ載置工程と、第１上部誘電体スペーサ１３の第１サブ柱状導体２の先端部分に載置された面と反対の面に、Ｕ字状に屈曲したＵ字状導体７の一端を固定し、第２上部誘電体スペーサ１４の第２サブ柱状導体３の先端部分に載置された面と反対の面に、Ｕ字状導体７の他端を固定し、Ｕ字状導体７の中央部分をメイン柱状導体１５の先端部分に固定するＵ字状導体固定工程とを備えているといえる。
【００７１】
実施の形態２に係るアンテナ装置は、第１サブ柱状導体２と、この第１サブ柱状導体２に並んで配列された第２サブ柱状導体３と、第１サブ柱状導体２と第２サブ柱状導体３との間に配列されたたメイン柱状導体１５と、第１サブ柱状導体２及び第２サブ柱状導体３並びにメイン柱状導体１５の基端部分の下方に絶縁されて配置された導体地板１６と、メイン柱状導体１５及び導体地板１６に電気的に接続された給電部６と、Ｕ字状に屈曲し、一端を第１サブ柱状導体２の先端部分に対向させ、他端を第２サブ柱状導体３の先端部分に対向させ、中央部分をメイン柱状導体１５の先端部分に固定されたＵ字状導体７とを備えているといえる。
【００７２】
実施の形態２に係るアンテナ装置（及びアンテナ装置の設置方法）において、第１サブ柱状導体２及び第２サブ柱状導体３をスリーブ導体として機能させる場合でも、下部側柱状導体補強工程を実施してもよい。つまり、第１接続体１１ｄ及び第２接続体１２ｄをメイン柱状導体１５，第１サブ柱状導体２，第２サブ柱状導体３と絶縁した状態で、メイン柱状導体１５，第１サブ柱状導体２，第２サブ柱状導体３を固定すればよい。また、実施の形態２に係るアンテナ装置（及びアンテナ装置の設置方法）において、第１サブ柱状体２ｄ，第２サブ柱状体３ｄを用いる場合は、第１上部誘電体スペーサ１３及び第２上部誘電体スペーサ１４は、金属などの導電性の第１上部導体スペーサ（第１上部誘電体スペーサ１３を金属などの導体に置換したもの）、及び、金属などの導電性の第２上部導体スペーサ（第２上部誘電体スペーサ１４を金属などの導体に置換したもの）を用いてもよい。さらに、実施の形態２に係るアンテナ装置（及びアンテナ装置の設置方法）において、第１下部誘電体スペーサ９を用いて、かつ、第１サブ柱状導体２と導体地板１６とを電気的に接続せず（絶縁し）、第２下部誘電体スペーサ１０を用いて、かつ、第２サブ柱状導体３と導体地板１６とを電気的に接続しない（絶縁する）場合も、第１上部誘電体スペーサ１３及び第２上部誘電体スペーサ１４は、金属などの導電性の第１上部導体スペーサ、及び、金属などの導電性の第２上部導体スペーサを用いてもよい。
【００７３】
つまり、Ｕ字状導体７の一端を支持する構成が、導体地板１６側から順に、導電性又は絶縁性の第１下部スペーサ，導電性又は絶縁性の第１サブ柱状体，導電性又は絶縁性の第１上部スペーサとなっておれば、少なくとも、第１下部スペーサ，第１サブ柱状体，第１上部スペーサのいずれかが絶縁性のものであればよい。同じく、Ｕ字状導体７の他端を支持する構成が、導体地板１６側から順に、導電性又は絶縁性の第２下部スペーサ，導電性又は絶縁性の第２サブ柱状体，導電性又は絶縁性の第２上部スペーサとなっておれば、少なくとも、第２下部スペーサ，第２サブ柱状体，第２上部スペーサのいずれかが絶縁性のものであればよい。第１下部スペーサ，第１サブ柱状体，第１上部スペーサを第１支持体と称してもよい。第２下部スペーサ，第２サブ柱状体，第２上部スペーサを第２支持体と称してもよい。第１支持体及び第２支持体は、Ｕ字状導体７を支持するもので、概ね柱状の外観を成している。このような場合、第１支持体は、基端部分が導体地板１６（設置面）上に固定され、先端部分でＵ字状導体７の一端を固定していることなる。同じく、第２支持体は、基端部分が導体地板１６（設置面）上に固定され、先端部分でＵ字状導体７の他端を固定していることなる。Ｕ字状導体７は、第１支持体及び第２支持体によって、導体地板１６から絶縁されているといえる。第１支持体及び第２支持体には、第１上部スペーサ（第１誘電体スペーサ１３，第１導体スペーサ）及び第２上部スペーサ（第２誘電体スペーサ１４，第２導体スペーサ）と同様に、先端部分にＵ字状導体７を挿入する孔部と、この孔部に挿入されたＵ字状導体７を固定するための固定具３４を挿入する孔とを有している。
【００７４】
このような、第１支持体及び第２支持体をスリーブ導体として機能させる場合は、第１支持体及び第２支持体の基端側を導体で構成して導体地板１６と電気的に接続し、先端側を誘電体などの絶縁性の部材で構成すればよい。このとき、先端側には、第１上部誘電体スペーサ１３及び第２上部誘電体スペーサ１４のように、Ｕ字状導体７が挿入される孔部（溝）があればよい。また、先端側には、第１上部誘電体スペーサ１３及び第２上部誘電体スペーサ１４のように、固定具３４が挿入される孔があればよい。
【００７５】
よって、実施の形態２に係るアンテナ装置の設置方法は、設置面に形成された導体地板１６に載置された第１支持体及び第２支持体並びに中央下部誘電体スペーサ８、この中央下部誘電体スペーサ８に、メイン柱状導体１５の基端部分を固定し、第１支持体及び第２支持体並びにメイン柱状導体１５を導体地板１６の上にそれぞれ立てて、第１支持体と第２支持体との間にメイン柱状導体１５を配置する下部側柱状体設置工程と、第１支持体の導体地板１６側と反対側で、Ｕ字状に屈曲したＵ字状導体７の一端を固定し、第２支持体の導体地板１６側と反対側で、Ｕ字状導体７の他端を固定し、Ｕ字状導体７の中央部分をメイン柱状導体１５の先端部分に固定するＵ字状導体固定工程とを備えているといえる。
【００７６】
よって、実施の形態２に係るアンテナ装置は、第１支持体と、この第１支持体に並んで配列された第２支持体と、第１支持体と第２支持体との間に配列されたたメイン柱状導体１５と、第１支持体及び第２支持体並びにメイン柱状導体１５の基端部分の下方に、メイン柱状導体１５と絶縁されて配置された導体地板１６と、メイン柱状導体１５及び導体地板１６に電気的に接続された給電部６と、Ｕ字状に屈曲し、一端を第１支持体の先端部分に対向させ、他端を第２支持体の先端部分に対向させ、中央部分をメイン柱状導体１５の先端部分に固定されたＵ字状導体７とを備えているといえる。
【００７７】
実施の形態２の他の実施の形態への適用を説明する。まず、実施の形態１に係るアンテナ装置（ダイポールアンテナ）においても、第１支持体及び第２支持体を用いることができることを説明する。つまり、導体地板１６を設置せずに、第１支持体及び第２支持体とを、それぞれ、第１メイン柱状導体１に、第１接続導体１１及び第２接続導体１２で電気的に接続する構成を採ればよい。詳しくは、第１支持体と、この第１支持体に並んで配列された第２支持体と、第１支持体と第２支持体との間に配列され、第１支持体及び第２支持体と電気的に接続された第１メイン柱状導体１と、中央上部誘電体スペーサ８を介して第１メイン柱状導体１と対向して直列的に配置された第２メイン柱状導体４と、第１メイン柱状導体１及び第２メイン柱状導体４に電気的に接続された給電部６と、Ｕ字状に屈曲し、一端を第１支持体の先端部分に対向させ（固定させ）、他端を第２支持体の先端部分に対向させ（固定させ）、中央部分を第２メイン柱状導体４の先端部分に固定されたＵ字状導体７とを備えたアンテナ装置（ダイポールアンテナ）といえる。これは、次に説明する実施の形態３でも同様である。詳しくは、第１サブ柱状導体２，第２サブ柱状導体３，第３サブ柱状導体１７，第４サブ柱状導体１８が、それぞれ、第１支持体，第２支持体，第３支持体（第３下部スペーサ，第３サブ柱状体，第３上部スペーサ），第４支持体（第４下部スペーサ，第４サブ柱状体，第４上部スペーサ）の一部となる。そして、次の実施の形態３で説明する第３サブ柱状導体１７や第４サブ柱状導体１８をスリーブ導体として機能させてもよい。つまり、第１サブ柱状導体２，第２サブ柱状導体３，第３サブ柱状導体１７，第４サブ柱状導体１８のうち、少なくとも一つはスリーブ導体であってもよい。
【００７８】
実施の形態３．
この発明の実施の形態３について図１７〜図２０を用いて説明する。図１７は、図１８，図１９に記載のアンテナ装置の具体的な構成要素との対応関係を明示したものであり、点線によって構成要素を切り分けて図示している。図１２（ａ）は、図１８に示すアンテナ装置の正面図及び図１９に示すアンテナ装置の背面図における点線部分の拡大断面図（例えば、図２に示す平面図を見る方向で柱状導体及びＵ字状導体を二分割したもの、換言すると、柱状導体及びＵ字状導体が延伸する方向に柱状導体及びＵ字状導体を二分割したもの）である。実施の形態１及び実施の形態２に係るアンテナ装置（及びアンテナ装置の設置方法）では、給電を行う中空金属棒（第１メイン柱状導体１及び第２メイン柱状導体４，メイン柱状導体１５）に対して左右対称な位置に他の２本の中空金属棒（第１サブ柱状導体２及び第２サブ柱状導体３）を設置する構造であったのに対し、この実施の形態３では、給電を行う中空金属棒（第１メイン柱状導体１及び第２メイン柱状導体４）を中心とする円周上に等角度間隔で他の複数の中空金属棒（第３サブ柱状導体１７及び第４サブ柱状導体１８）を設置する構造である。これにより、アンテナ装置の剛性を向上させることができ、より少ない支持部材、または支持部材無しで自立するアンテナ装置を得ることができる。図１８及び図１９に示すアンテナ装置の正面図（背面図）などは省略するが、図１８及び図１９に示す構成要素のうち、実施の形態１に係るアンテナ装置と同様の構成要素に関しては、図１の正面図（図２の背面図）に示すものと位置関係が対応（一致）する。なお、Ｕ字状導体７と第２Ｕ字状導体２１とは、平面図として見た場合、Ｘ字状のＸ字状導体といえる。Ｕ字状導体７と第２Ｕ字状導体２１とは一体のＸ字状導体でもよい。
【００７９】
実施の形態３では、アンテナ装置がダイポールアンテナの場合で、前述の円周上に等角度間隔が９０°の場合を例示的に説明する。つまり、第１サブ柱状導体２，第１下部誘電体スペーサ９，第１上部誘電体スペーサ１３，第２サブ柱状導体３，第２下部誘電体スペーサ１０，第２上部誘電体スペーサ１４，Ｕ字状導体７が、中空金属棒（第１メイン柱状導体１及び第２メイン柱状導体４）を中心とする円周上に、９０°回転したものが、それぞれ、第３サブ柱状導体１７，第３下部誘電体スペーサ２２，第３上部誘電体スペーサ２４，第４サブ柱状導体１８，第４下部誘電体スペーサ２４，第４上部誘電体スペーサ２５，第２Ｕ字状導体２１に対応する。なお、第１接続導体１１及び第２接続導体１２が、中空金属棒（第１メイン柱状導体１及び第２メイン柱状導体４）を中心とする円周上に、９０°回転したものが、それぞれ、第３接続導体１９及び第４接続導体２０に対応する。
【００８０】
アンテナ装置がモノポールアンテナの場合や前述の円周上に等角度間隔が任意であってもよい。なお、実施の形態３に係るアンテナ装置の設置面は、地面や建物の屋上などが想定される。実施の形態に記載する本発明の構成はその一例であり、実施の形態に示すもののみに本発明が拘束されるものではない。実施の形態３では、実施の形態１及び２と異なる部分を中心に説明を行い、アンテナ構造や誘電体スペーサ構造などの共通する部分の説明は省略する場合がある。
【００８１】
実施の形態３では、第１サブ柱状導体２，第１下部誘電体スペーサ９，第１上部誘電体スペーサ１３，第２サブ柱状導体３，第２下部誘電体スペーサ１０，第２上部誘電体スペーサ１４，Ｕ字状導体７が、それぞれ、第３サブ柱状導体１７，第３下部誘電体スペーサ２２，第３上部誘電体スペーサ２４，第４サブ柱状導体１８，第４下部誘電体スペーサ２４，第４上部誘電体スペーサ２５，第２Ｕ字状導体２１に対応するので、実施の形態１及び２と同様な部分に関する「第１サブ柱状導体２，第１下部誘電体スペーサ９，第１上部誘電体スペーサ１３，第２サブ柱状導体３，第２下部誘電体スペーサ１０，第２上部誘電体スペーサ１４，Ｕ字状導体７」の説明は省略する。
【００８２】
図１７〜図２０において、第１メイン柱状導体１は、第３サブ柱状導体１７に並んで配列された第４サブ柱状導体１８と第３サブ柱状導体１７との間（中間）に配列されている。つまり、第３サブ柱状導体１７と第４サブ柱状導体１８との中間に第１メイン柱状導体１が配置されている。また、第１メイン柱状導体１は、第３サブ柱状導体１７及び第４サブ柱状導体１８と電気的に接続されている。図中、同一符号は、同一又は相当部分を示しそれらについての詳細な説明は省略する。
【００８３】
図１７〜図２０において、第２Ｕ字状導体２１は、Ｕ字状に屈曲し、一端を第３サブ柱状導体１７の先端部分に対向させ、他端を第４サブ柱状導体１８の先端部分に対向させ、中央部分２１ｃを第２メイン柱状導体４の先端部分に固定されている。詳しくは、第２メイン柱状導体４が中央部分２１ｃの中心近傍を固定しているので、この中心近傍を通る線に対して、第２Ｕ字状導体２１は線対称の構造となっている。つまり、Ｕ字状導体７と第２Ｕ字状導体２１とは、第２メイン柱状導体４の先端部分で交差して保持されていることになる。Ｕ字状導体７及び第２Ｕ字状導体２１を中心部分７ｃで二分割した構造とした場合は、Ｕ字状導体７と第２Ｕ字状導体２１を交差させずとも、上部フランジ４ａ（第１板状導体４ａ）と取付用金具４ｂ（第２板状導体４ｂ）とで固定することで一体としてもよい。また。Ｕ字状導体７及び第２Ｕ字状導体２１を管状の導体で形成し、一方を他方へ挿入することで、一体としてもよい。この変形例として、第２Ｕ字状導体２１を管状の導体で形成し、第２Ｕ字状導体２１を上部フランジ４ａ（第１板状導体４ａ）に差し込むようにしてもよい。つまり、第２Ｕ字状導体２１は、分割されたものを中央部分７ｃにて一体的に固定されるものでもよい。ここでいう一体的とは、電気的に一体と見なしてもよいことを意味している。つまり、第２Ｕ字状導体２１もＵ字状導体７と同じく、Ｌ字状のＬ字状導体が組み合わさったものとなる。第１屈曲部２１ａ（第２屈曲部２１ｂ）に対して、一方の端部が、第３上部誘電体スペーサ２４（第４上部誘電体スペーサ２５）に固定（挿入）され、他方の端部が第２メイン柱状導体４の先端部分（上部フランジ４ａ（第１板状導体４ａ）と取付用金具４ｂ（第２板状導体４ｂ）と）で固定される。さらに、Ｕ字状導体７及び第２Ｕ字状導体２１は第１屈曲部分７ａや第２屈曲部分７ｂで分割できる構造でもよい。Ｕ字状導体７と第２Ｕ字状導体２１とが一体であってもよい。図中、同一符号は、同一又は相当部分を示しそれらについての詳細な説明は省略する。
【００８４】
図１７〜図２０において、第２メイン柱状導体４は、第１板状導体４ａと第２板状導体４ｂとの間に、第２Ｕ字状導体２１の中央部分７ｃを挟み込んで固定するものである。第２板状導体４ｂは、第２メイン柱状導体４とは別の部材であるので、第２Ｕ字状導体２１の固定後に、第２板状導体４ｂが第２メイン柱状導体４の一部になる。また、第１板状導体４ａ又は第２板状導体４ｂの少なくとも一方は、第２Ｕ字状導体２１が入る溝部を有するものとしてよい。本願では、第２板状導体４ｂに第２Ｕ字状導体２１が入る溝部が形成されたものを図示している。なお、Ｕ字状導体２１は、一端から第１屈曲部分２１ａまで直線的に延びた第１直線部分と、他端から第２屈曲部分２１ｂまで直線的に延びた第２直線部分と、第１屈曲部分２１ａから第２屈曲部分２１ｂまで直線的に延びた中央部分７ｃとからなるものである。本願では、第２屈曲部分２１ａ及び第２屈曲部分２１ｂは角度が９０°で屈曲したものも含むとする。つまり、第２Ｕ字状導体２１は第２コ字状導体２１（第２П（ペー）字状導体２１）ともいえる。図中、同一符号は、同一又は相当部分を示しそれらについての詳細な説明は省略する。
【００８５】
図１７〜図２０において、第３下部誘電体スペーサ２２及び第４下部誘電体スペーサ２３は、それぞれ、設置面に載置され、中央下部誘電体スペーサ８を間（中間）に配置している。第３下部誘電体スペーサ２２及び第４下部誘電体スペーサ２４並びに中央下部誘電体スペーサ８は一体の誘電体スペーサでもよい。また、設置面に埋め込まれていてもよいし、設置面自体がこの機能（誘電体スペーサ）を有していてもよい。第３接続導体１９は、第３サブ柱状導体１７と第１メイン柱状導体１とを電気的に接続するものである。第４接続導体２０は、第４サブ柱状導体１８と第１メイン柱状導体１とを電気的に接続するものである。第３接続導体１９及び第４接続導体２０は同じ長さである。第３接続導体１９及び第４接続導体２０は、第１メイン柱状導体１，第３サブ柱状導体１７，第４サブ柱状導体１８の起立の補強材としても機能させることができる。第３上部誘電体スペーサ２４は、第３サブ柱状導体１７の先端部分に形成されたものである。第４上部誘電体スペーサ２５は、第４サブ柱状導体１８の先端部分に形成されたものである。第３上部誘電体スペーサ２４及び第４上部誘電体スペーサ２５は、例えば、上部側が細い円すい形状となっている。図２０では、第３サブ柱状導体１７，第４サブ柱状導体１８，第２Ｕ字状導体２１は中空のものを示している。同じく、図２０では、第２Ｕ字状導体２１の固定用の固定具４５が挿入される孔が、第３上部誘電体スペーサ２４及び第４上部誘電体スペーサ２５における円すい形状の斜面に穿たれている（開けられている）。固定具３５の材質は固定具３４と同じく強度が確保できれば特に問わない。図中、同一符号は、同一又は相当部分を示しそれらについての詳細な説明は省略する。
【００８６】
続いて、実施の形態３に係るアンテナ装置の設置方法（組み立て手順）を説明する。実施の形態３に係るアンテナ装置の設置方法における下部誘電体スペーサ載置工程は、第１下部誘電体スペーサ９及び第２下部誘電体スペーサ１０並びに中央下部誘電体スペーサ８を設置面に載置、及び、第３下部誘電体スペーサ２２及び第４下部誘電体スペーサ２３並びに中央下部誘電体スペーサ８を設置面に載置するものである。元から、第１下部誘電体スペーサ９及び第２下部誘電体スペーサ１０（第３下部誘電体スペーサ２２及び第４下部誘電体スペーサ２３）並びに中央下部誘電体スペーサ８が設置面に配置（固定）されている場合や設置面に誘電体スペーサの機能があれば、下部誘電体スペーサ載置工程は不要となる。
【００８７】
実施の形態３に係るアンテナ装置の設置方法における下部側柱状導体設置工程は、第１サブ柱状導体２，第２サブ柱状導体３，第３サブ柱状導体１７，第４サブ柱状導体１８，第１メイン柱状導体１を設置面の上にそれぞれ立てて、第１サブ柱状導体２と第２サブ柱状導体３との間に第１メイン柱状導体１を配置、及び、第３サブ柱状導体１７と第４サブ柱状導体１８との間に第１メイン柱状導体１を配置するものである。実施の形態３に係るアンテナ装置の設置方法における下部側柱状導体電気接続工程は、第１サブ柱状導体２及び第２サブ柱状導体３を第１メイン柱状導体１、並びに、第３サブ柱状導体１７及び第４サブ柱状導体１７を第１メイン柱状導体１に電気的に接続するものである。詳しくは、第１メイン柱状導体１と第１サブ柱状導体２とを第１接続導体１１で接続する工程，第１メイン柱状導体１と第２サブ柱状導体３とを第２接続導体１２で接続する工程，第１メイン柱状導体１と第３サブ柱状導体１７とを第３接続導体１９で接続する工程，第１メイン柱状導体１と第４サブ柱状導体１８とを第４接続導体２０で接続する工程からなる。なお、下部側柱状導体電気接続工程の実施順は問わない。後述のＵ字状導体固定工程や配線工程の後でもよい。また、下部側柱状導体電気接続工程は、第１接続導体１１，第２接続導体１２，第３接続導体１９，第４接続導体２０による補強ともいえるので、下部側柱状導体補強工程ともいえる。実施の形態３に係るアンテナ装置の設置方法における下部側柱状導体設置工程の前に上部側柱状導体設置工程を行ってもよい。つまり、下部側柱状導体設置工程で設置面に、中央上部誘電体スペーサ５を介して第２メイン柱状導体４が接続された第１メイン柱状導体１を立てることになる。なお、上部側柱状導体設置工程の後（多くは、Ｕ字状導体固定工程後）に配線工程を行う。
【００８８】
実施の形態３に係るアンテナ装置の設置方法におけるＵ字状導体固定工程を示している。このＵ字状導体固定工程は、第１上部誘電体スペーサ１３の第１サブ柱状導体２の先端部分に載置された面と反対の面に、Ｕ字状に屈曲したＵ字状導体７の一端を固定（挿入）し、第２上部誘電体スペーサ１４の第２サブ柱状導体３の先端部分に載置された面と反対の面に、Ｕ字状導体７の他端を固定（挿入）し、Ｕ字状導体７の中央部分を第２メイン柱状導体４の先端部分に固定する第１Ｕ字状導体固定工程と、第３上部誘電体スペーサ２４の第３サブ柱状導体１７の先端部分に載置された面と反対の面に、Ｕ字状に屈曲した第２Ｕ字状導体２１の一端を固定（挿入）し、第４上部誘電体スペーサ２５の第４サブ柱状導体１８の先端部分に載置された面と反対の面に、第２Ｕ字状導体２１の他端を固定（挿入）し、第２Ｕ字状導体２１の中央部分を第２メイン柱状導体４の先端部分に固定する第２Ｕ字状導体固定工程とからなる。第１Ｕ字状導体固定工程と第２Ｕ字状導体固定工程との実施順は問わない。Ｕ字状導体７の中央部分７ｃと第２Ｕ字状導体２１の中央部分２１ｃとの固定は同時であってもよい。
【００８９】
本願では、第３上部誘電体スペーサ２４及び第４上部誘電体スペーサ２５は孔部を有し、これらの孔部は、細い第２Ｕ字状導体２１の両端を差込むことができる程度の窪みでよい。これによって、第３サブ柱状導体１７と第２Ｕ字状導体２１（一端）とを導通させず、固定具３５により固定でき、第４サブ柱状導体１８と第２Ｕ字状導体２１（他端）とを導通させず、固定具３５により固定できる。Ｕ字状導体固定工程前に、第３サブ柱状導体１７の先端部分（上部フランジ）に第３上部誘電体スペーサ２４を載置し、第４サブ柱状導体１８の先端部分（上部フランジ）に第４上部誘電体スペーサ２５を載置する上部誘電体スペーサ載置工程（サブ柱状導体用上部誘電体スペーサ載置工程）を実施する。第３上部誘電体スペーサ１７及び第４上部誘電体スペーサ１８が前述の円すい形状である場合は、径が大きい下部側にボルト穴を穿ち、第３サブ柱状導体１７及び第４サブ柱状導体１８の先端部分（上部フランジ）にボルトなどの締結具で固定すればよい。
【００９０】
したがって、実施の形態３に係るアンテナ装置の設置方法により、垂直方向を主偏波とする利得が高い、小型のアンテナ装置を得ることができ、ダイポールアンテナの主偏波の利得を維持し、左右対称の構造とすることで交差偏波の利得を抑圧したダイポールアンテナを得ることができるだけでなく、第３サブ柱状導体１７及び第４サブ柱状導体１８によって、さらに、その搬送、組立て、設置が容易で、かつ支線などの支持部材の必要数が少ない、または支持部材無しで自立するダイポールアンテナやモノポールアンテナを得ることができる。
【００９１】
実施の形態１〜３に係るアンテナ装置は、第１サブ柱状導体２（第１支持体）と、第１サブ柱状導体２（第１支持体）に並んで配列された第２サブ柱状導体３（第２支持体）と、第１サブ柱状導体２（第１支持体）と第２サブ柱状導体３（第２支持体）との間（中間）に配列され、第１サブ柱状導体２（第１支持体）及び第２サブ柱状導体３（第２支持体）と電気的に接続され、又は、絶縁した状態で固定されたメイン柱状導体１５（第１メイン柱状導体１）と、Ｕ字状に屈曲し、一端を第１サブ柱状導体２（第１支持体）の先端部分に対向させ、他端を第２サブ柱状導体３（第２支持体）の先端部分に対向させ、中央部分をメイン柱状導体１５（第２メイン柱状導体４）の先端部分に固定されたＵ字状導体とを備えているといえる。なお、メイン柱状導体１５は、第１サブ柱状導体２（第１支持体）と第２サブ柱状導体３（第２支持体）との間（中間）に配列されているだけでもよい。つまり、メイン柱状導体１５は、第１サブ柱状導体２（第１支持体）及び第２サブ柱状導体３（第２支持体）と電気的に接続されてなくてもよいし、第１サブ柱状導体２（第１支持体）及び第２サブ柱状導体３（第２支持体）と絶縁した状態で固定されていなくてもよい。
【００９２】
実施の形態１〜３に係るアンテナ装置の設置方法は、設置面（導体地板１６）に載置された第１下部誘電体スペーサ９（第１支持体）及び第２下部誘電体スペーサ１９（第２支持体）並びに中央下部誘電体スペーサ８に、第１サブ柱状導体２（第１支持体）及び第２サブ柱状導体３（第２支持体）並びにメイン柱状導体１５（第１メイン柱状導体１）の基端部分をそれぞれ固定し、第１サブ柱状導体２（第１支持体）及び第２サブ柱状導体３（第２支持体）並びにメイン柱状導体１５（第１メイン柱状導体１）を導体地板１６（設置面）の上にそれぞれ立てて、第１サブ柱状導体２（第１支持体）と第２サブ柱状導体３（第２支持体）との間にメイン柱状導体１５（第１メイン柱状導体１）を配置する下部側柱状導体設置工程と、第１サブ柱状導体２（第１支持体）及び第２サブ柱状導体３（第２支持体）をメイン柱状導体１５（第１メイン柱状導体１）に電気的に接続する、又は、絶縁した状態で固定する下部側柱状導体電気接続（下部側柱状体補強）工程（第１サブ柱状導体２及び第２サブ柱状導体３を導体地板１６に電気的に接続する下部側柱状導体設置工程）と、「第１上部誘電体スペーサ１３の第１サブ柱状導体」（第１支持体）の先端部分に載置された面と反対の面に、Ｕ字状に屈曲したＵ字状導体７の一端を固定し、「第２上部誘電体スペーサ１４の第２サブ柱状導体３」（第２支持体）の先端部分に載置された面と反対の面に、Ｕ字状導体７の他端を固定し、Ｕ字状導体７の中央部分をメイン柱状導体１５（第２メイン柱状導体４）の先端部分に固定するＵ字状導体固定工程とを備えているといえる。なお、下部側柱状導体電気接続（下部側柱状体補強）工程（第１サブ柱状導体２及び第２サブ柱状導体３を導体地板１６に電気的に接続する下部側柱状導体設置工程）はなくてもよい。
【００９３】
実施の形態１〜３に係るアンテナ装置は、線状（細い柱状）アンテナの利得を維持し、それを分解した状態で容易に搬送でき、搬送先で容易に組み立て及び設置が可能で、支線などの支持部材の必要数が少ない、または全く不要なために、設置に要する面積が小さいアンテナ装置及びアンテナ装置の設置方法を得ることができる。もちろん、実施の形態１〜３に係るアンテナ装置（及びアンテナ装置の設置方法）は、ダイポールアンテナにもモノポールアンテナにも適用可能なものである。
【００９４】
本願において、第１メイン柱状導体１，第１サブ柱状導体２，第１サブ柱状体２ｄ，第２サブ柱状導体３，第２サブ柱状体３ｄ，第２メイン柱状導体４，上部側第２メイン柱状導体４ｕ，下部側第２メイン柱状導体４ｄ，メイン柱状導体１５，上部側メイン柱状導体１５ｕ，下部側メイン柱状導体１５ｄ，第３サブ柱状導体１７，第４サブ柱状導体１８は、中空の管状のものであってもよい。また、これらの管状の部材（柱状導体，柱状体）は、基端（一端）から先端（他端）まで連通した構造でもよいし、竹のように内部に節状の構造体が存在する非連通の構造でもよい。非連通の構造は、強度確保に資する。連通の構造でも内部に補強材（構造体）を形成して強度を確保してもよい。なお、連通・非連通の構造が容認されることは、Ｕ字状導体７及び第２Ｕ字状導体２１においても同様である。もちろん、Ｕ字状導体７及び第２Ｕ字状導体２１においても、非連通の構造や補強材（構造体）付きの連通の構造は、強度確保に資するものであることはいうまでもない。
【符号の説明】
【００９５】
１・・第１メイン柱状導体、２・・第１サブ柱状導体、２ｄ・・第１サブ柱状体、３・・第２サブ柱状導体、３ｄ・・第２サブ柱状体、４・・第２メイン柱状導体、４ａ・・第１板状導体（上部フランジ）、４ｂ・・第２板状導体（取付用金具）、４ｕ・・上部側第２メイン柱状導体、４ｄ・・下部側第２メイン柱状導体、５・・中央上部誘電体スペーサ、６・・給電部、７・・Ｕ字状導体（コ字状導体，П（ペー）字状導体）、７ａ・・第１屈曲部分、７ｂ・・第２屈曲部分、７ｃ・・中央部分、８・・中央下部誘電体スペーサ、９・・第１下部誘電体スペーサ、９ｍ・・第１下部導体スペーサ、１０・・第２下部誘電体スペーサ、１０ｍ・・第２下部導体スペーサ、１１・・第１接続導体、１１ｄ・・第１接続体、１２・・第２接続導体、１２ｄ・・第２接続体、１３・・第１上部誘電体スペーサ、１４・・第２上部誘電体スペーサ、１５・・メイン柱状導体、１５ｕ・・上部側メイン柱状導体、１５ｄ・・下部側メイン柱状導体、１６・・導体地板（金属地板）、１７・・第３サブ柱状導体、１８・・第４サブ柱状導体、１９・・第３接続導体、２０・・第４接続導体、２１・・第２Ｕ字状導体（第２コ字状導体，第２П（ペー）字状導体）、２１ａ・・第１屈曲部分、２１ｂ・・第２屈曲部分、２１ｃ・・中央部分、２２・・第３下部誘電体スペーサ、２３・・第４下部誘電体スペーサ、２４・・第３上部誘電体スペーサ、２５・・第４上部誘電体スペーサ、３４・・固定具（Ｕ字状導体７用）、４５・・固定具（第２Ｕ字状導体２１用）。
【図１】
2014176084.tif 000003
【図２】
2014176084.tif 000004
【図３】
2014176084.tif 000005
【図４】
2014176084.tif 000006
【図５】
2014176084.tif 000007
【図６】
2014176084.tif 000008
【図７】
2014176084.tif 000009
【図８】
2014176084.tif 000010
【図９】
2014176084.tif 000011
【図１０】
2014176084.tif 000012
【図１１】
2014176084.tif 000013
【図１２】
2014176084.tif 000014
【図１３】
2014176084.tif 000015
【図１４】
2014176084.tif 000016
【図１５】
2014176084.tif 000017
【図１６】
2014176084.tif 000018
【図１７】
2014176084.tif 000019
【図１８】
2014176084.tif 000020
【図１９】
2014176084.tif 000021
【図２０】
2014176084.tif 000022